(57)【特許請求の範囲】
【請求項１】
所定数の画像データを集約した集約用画像データを一の用紙に印刷する画像形成装置において、
上下２段、左右４列に区分され、用紙の表面に印刷される表面の集約用画像データと当該用紙の裏面に印刷される裏面の集約用画像データとを左右に配置した際に、前記表面の集約用画像データの下段で左から第４列目の区分領域から、前記裏面の集約用画像データの下段で第１列目の区分領域、前記裏面の集約用画像データの上段で第１列目の区分領域、前記表面の集約用画像データの上段で第１列目の区分領域を通り、前記表面の集約用画像データの下段で第３列目の区分領域までの区分領域に、所定数の画像データを、前記表面の集約用画像データの下段で第４列目の区分領域を起点として反時計回り、又は前記表面の集約用画像データの下段で第３列目の区分領域を起点として時計回りの順番でそれぞれ割り付ける画像割付手段と、
割り付けた所定数の画像データを、前記表面の集約用画像データの上下２段と前記裏面の集約用画像データの上下２段とをそれぞれ区分する２つの区分線を介して、それぞれ上下方向に対向配置する対向配置手段と、
前記表面の集約用画像データと前記裏面の集約用画像データとを、前記用紙の表面と裏面とにそれぞれ印刷する両面印刷手段と
を備えることを特徴とする画像形成装置。
【請求項２】
更に、前記画像割付手段は、前記裏面の集約用画像データの下段で第２列目の区分領域から、前記裏面の集約用画像データの下段で第３列目の区分領域、前記裏面の集約用画像データの上段で第３列目の区分領域を通り、前記裏面の集約用画像データの上段で第２列目の区分領域までの区分領域に、所定数の画像データを、前記裏面の集約用画像データの下段で第２列目の区分領域を起点として反時計回り、又は前記裏面の集約用画像データの上段で第２列目の区分領域を起点として時計回りの順番でそれぞれ割り付け、
前記対向配置手段は、割り付けた所定数の画像データを、前記裏面の集約用画像データの上下２段を区分する区分線を介して、それぞれ上下方向に対向配置する
請求項１に記載の画像形成装置。
【請求項３】
所定数の画像データを集約した集約用画像データを一の用紙に印刷する画像形成装置において、
上下４段、左右２列に区分され、用紙の裏面に印刷される裏面の集約用画像データと当該用紙の表面に印刷される表面の集約用画像データとを左右に配置した際に、前記表面の集約用画像データの左列で上から第４段目の区分領域から、前記裏面の集約用画像データの右列で第４段目の区分領域、前記裏面の集約用画像データの右列で第１段目の区分領域、前記表面の集約用画像データの右列で第１段目の区分領域を通り、前記表面の集約用画像データの右列で第４段目の区分領域までの区分領域に、所定数の画像データを、前記表面の集約用画像データの左列で第４段目の区分領域を起点として時計回り、又は前記表面の集約用画像データの右列で第４段目の区分領域を起点として反時計回りの順番でそれぞれ割り付ける画像割付手段と、
割り付けた所定数の画像データを、前記表面の集約用画像データの第１段目と第２段目、第３段目と第４段目、前記裏面の集約用画像データの第１段目と第２段目、第３段目と第４段目をそれぞれ区分する４つの区分線を介して、それぞれ上下方向に対向配置する対向配置手段と、
前記表面の集約用画像データと前記裏面の集約用画像データとを、前記用紙の表面と裏面とにそれぞれ印刷する両面印刷手段と
を備えることを特徴とする画像形成装置。
【請求項４】
所定数の画像データを集約した集約用画像データを一の用紙に印刷する画像形成方法において、
上下２段、左右４列に区分され、用紙の表面に印刷される表面の集約用画像データと当該用紙の裏面に印刷される裏面の集約用画像データとを左右に配置した際に、前記表面の集約用画像データの下段で左から第４列目の区分領域から、前記裏面の集約用画像データの下段で第１列目の区分領域、前記裏面の集約用画像データの上段で第１列目の区分領域、前記表面の集約用画像データの上段で第１列目の区分領域を通り、前記表面の集約用画像データの下段で第３列目の区分領域までの区分領域に、所定数の画像データを、前記表面の集約用画像データの下段で第４列目の区分領域を起点として反時計回り、又は前記表面の集約用画像データの下段で第３列目の区分領域を起点として時計回りの順番でそれぞれ割り付ける画像割付ステップと、
割り付けた所定数の画像データを、前記表面の集約用画像データの上下２段と前記裏面の集約用画像データの上下２段とをそれぞれ区分する２つの区分線を介して、それぞれ上下方向に対向配置する対向配置ステップと、
前記表面の集約用画像データと前記裏面の集約用画像データとを、前記用紙の表面と裏面とにそれぞれ印刷する両面印刷ステップと
を含むことを特徴とする画像形成方法。
【請求項５】
所定数の画像データを集約した集約用画像データを一の用紙に印刷する画像形成方法において、
上下４段、左右２列に区分され、用紙の裏面に印刷される裏面の集約用画像データと当該用紙の表面に印刷される表面の集約用画像データとを左右に配置した際に、前記表面の集約用画像データの左列で上から第４段目の区分領域から、前記裏面の集約用画像データの右列で第４段目の区分領域、前記裏面の集約用画像データの右列で第１段目の区分領域、前記表面の集約用画像データの右列で第１段目の区分領域を通り、前記表面の集約用画像データの右列で第４段目の区分領域までの区分領域に、所定数の画像データを、前記表面の集約用画像データの左列で第４段目の区分領域を起点として時計回り、又は前記表面の集約用画像データの右列で第４段目の区分領域を起点として反時計回りの順番でそれぞれ割り付ける画像割付ステップと、
割り付けた所定数の画像データを、前記表面の集約用画像データの第１段目と第２段目、第３段目と第４段目、前記裏面の集約用画像データの第１段目と第２段目、第３段目と第４段目をそれぞれ区分する４つの区分線を介して、それぞれ上下方向に対向配置する対向配置ステップと、
前記表面の集約用画像データと前記裏面の集約用画像データとを、前記用紙の表面と裏面とにそれぞれ印刷する両面印刷ステップと
を含むことを特徴とする画像形成方法。
【請求項６】
請求項４又は５に記載の画像形成方法をコンピュータに実行させるためのプログラム。
【請求項７】
請求項６に記載のプログラムを記憶したコンピュータに読み取り可能な記憶媒体。
【発明の詳細な説明】
【技術分野】
【０００１】
本発明は、画像形成装置及び画像形成方法に関し、詳しくは、用紙の裏面にも画像データを集約印刷することで、頁数の多い小冊子用の印刷物を出力することが可能な画像形成装置及び画像形成方法に関する。
【背景技術】
【０００２】
従来からプリンタによって複数頁の印字を１枚の用紙に行なって、これを折り畳むことによって簡便に小冊子（単に冊子ともいう）を作成することが行なわれている。例えば、用紙に片面４頁分ずつの両面印刷を行い、当該用紙を折り畳んで綴じると共に、切り開くことによって８頁からなる小冊子を作成することが出来る画像形成装置が存在する。又、側部に複数の孔部が形成された連続用紙に複数の頁の面付けを行ない、裁断後製本する製本用の画像形成装置が存在する。
【０００３】
しかしながら、上述した８頁からなる小冊子を作成する画像形成装置では、両面印刷を前提としているため、両面印刷可能なプリンタを使用する必要がある。又、片面印刷可能なプリンタを使用する場合は、片面印刷された用紙を裏返して、もう片面の印刷を行なうなどの煩雑な作業が必要である。そのため、通常のプリンタでは不都合という問題があった。更に、製本用の画像形成装置では、連続用紙という一般的なプリンタに使用されていない特殊な用紙の使用を前提にしており、通常のプリンタには適用できず、小冊子を簡便に作成することが出来ないという問題があった。
【０００４】
このような問題を解決するために、例えば、特開２００１−１１３７７６号公報（特許文献１）には、入力された画像データを記憶する画像データ記憶手段と面付け手段と画像形成手段とを備える画像処理装置が開示されている。当該面付け手段は、長方形である用紙の記録領域の第１辺を２等分し当該第１辺と直交する第２辺に平行な仮想中央線と、前記第２辺を４×Ｎ（Ｎは自然数）に分割し前記第１辺と平行な（４×Ｎ−１）本の仮想分割線とによって８×Ｎに分割された記録領域に対して、８×Ｎ頁分の画像データを第１頁目から順に時計回り、あるいは反時計回りに８×Ｎ等分にされた記録領域に割り当てると共に、仮想中央線を挟んで反対側の記録領域には前記画像データを反転させて面付けする。又、前記画像形成手段は、面付けされた画像データに基づいて、１枚の用紙に８×Ｎ頁分の画像形成を行なう。これにより、簡単に８×Ｎ頁の小冊子を作成出来る用紙を印刷することが出来るとしている。
【０００５】
又、特開２０１０−３００７９号公報（特許文献２）には、矩形上の用紙に上下２段、横２列の４枚の頁を配置して印刷する集約印刷可能な画像形成装置が開示されている。当該画像形成装置は、前記用紙が半分の大きさの矩形に分ける第１の折り目で折り畳まれて、さらに前記第１の折り目に直交する方向の第２の折り目でもう一度半分の大きさに折り畳まれた小冊子とするために、前記４枚の頁を前記第１の折り目に対して頁の上下方向が対向するよう配置し、前記第２の折り目を綴じ部として頁繰り方向に頁順を並べるレイアウト配置部を有する。これにより、１頁を上下２段、左右２列の４区画に折り畳んで利用する小冊子の頁順と頁の上下方向を正しく印刷することが可能であるとしている。
【先行技術文献】
【特許文献】
【０００６】
【特許文献１】特開２００１−１１３７７６号公報
【特許文献２】特開２０１０−３００７９号公報
【発明の概要】
【発明が解決しようとする課題】
【０００７】
しかしながら、特許文献１、２に記載の技術では、通常、手軽に使用出来る小冊子に配置可能な頁数は８頁で、且つ、表面のみの印刷となる。そのため、８頁を越える頁数を増加することが出来ないという問題がある。仮に、８頁を越える頁数の小冊子を作成しようとすると、画像データの縦横比を変更して当該画像データのサイズを縮小せざるを得ず、ユーザにとって見難い小冊子が出来上がるという問題がある。
【０００８】
一方、近年、画像形成装置の技術が進歩し、通常、市販されている画像形成装置でも、両面印刷可能な画像形成装置が増加しつつある。そのため、用紙の裏面に所定の画像データを配置して印刷すれば、上述した８頁を超える頁数の小冊子を作成することが出来る可能性がある。
【０００９】
そこで、本発明は、前記問題を解決するためになされたものであり、用紙の裏面にも画像データを集約印刷することで、頁数の多い小冊子用の印刷物を出力することが可能な画像形成装置及び画像形成方法を提供することを目的とする。
【課題を解決するための手段】
【００１０】
上述した課題を解決し、目的を達成するために、本発明は、所定数の画像データを集約した集約用画像データを一の用紙に印刷する画像形成装置を提供する。
【００１１】
当該画像形成装置は、画像割付手段と、対向配置手段と、両面印刷手段とを備える。前記画像割付手段は、上下２段、左右４列に区分され、用紙の表面に印刷される表面の集約用画像データと当該用紙の裏面に印刷される裏面の集約用画像データとを左右に配置する。又、前記画像割付手段は、前記表面の集約用画像データの下段で左から第４列目の区分領域から、前記裏面の集約用画像データの下段で第１列目の区分領域、前記裏面の集約用画像データの上段で第１列目の区分領域、前記表面の集約用画像データの上段で第１列目の区分領域を通り、前記表面の集約用画像データの下段で第３列目の区分領域までの区分領域に、所定数の画像データを、前記表面の集約用画像データの下段で第４列目の区分領域を起点として反時計回り、又は前記表面の集約用画像データの下段で第３列目の区分領域を起点として時計回りの順番でそれぞれ割り付ける。そして、前記対向配置手段は、割り付けた所定数の画像データを、前記表面の集約用画像データの上下２段と前記裏面の集約用画像データの上下２段とをそれぞれ区分する２つの区分線を介して、それぞれ上下方向に対向配置する。又、前記両面印刷手段は、前記表面の集約用画像データと前記裏面の集約用画像データとを、前記用紙の表面と裏面とにそれぞれ印刷する。
【００１２】
これにより、用紙の表面には８の画像データを、当該用紙の裏面には２の画像データを印刷することが可能となるため、集約する画像データの最大数を、従来の最大数（８）と比較して２増加させることが可能となる。又、所定数の画像データが両面印刷された用紙を所定の線に従って切り込み、折り畳めば、各画像データが全て同じ向きとなる小冊子を簡単に作成することが可能となる。
【００１３】
更に、前記画像割付手段は、前記裏面の集約用画像データの下段で第２列目の区分領域から、前記裏面の集約用画像データの下段で第３列目の区分領域、前記裏面の集約用画像データの上段で第３列目の区分領域を通り、前記裏面の集約用画像データの上段で第２列目の区分領域までの区分領域に、所定数の画像データを、前記裏面の集約用画像データの下段で第２列目の区分領域を起点として反時計回り、又は前記裏面の集約用画像データの上段で第２列目の区分領域を起点として時計回りの順番でそれぞれ割り付ける。そして、前記対向配置手段は、割り付けた所定数の画像データを、前記裏面の集約用画像データの上下２段を区分する区分線を介して、それぞれ上下方向に対向配置する構成を採用することが出来る。
【００１４】
又、前記画像形成装置において、前記画像割付手段は、上下４段、左右２列に区分され、用紙の裏面に印刷される裏面の集約用画像データと当該用紙の表面に印刷される表面の集約用画像データとを左右に配置する。次に、前記画像割付手段は、前記表面の集約用画像データの左列で上から第４段目の区分領域から、前記裏面の集約用画像データの右列で第４段目の区分領域、前記裏面の集約用画像データの右列で第１段目の区分領域、前記表面の集約用画像データの右列で第１段目の区分領域を通り、前記表面の集約用画像データの右列で第４段目の区分領域までの区分領域に、所定数の画像データを、前記表面の集約用画像データの左列で第４段目の区分領域を起点として時計回り、又は前記表面の集約用画像データの右列で第４段目の区分領域を起点として反時計回りの順番でそれぞれ割り付ける。そして、前記対向配置手段は、割り付けた所定数の画像データを、前記表面の集約用画像データの第１段目と第２段目、第３段目と第４段目、前記裏面の集約用画像データの第１段目と第２段目、第３段目と第４段目をそれぞれ区分する４つの区分線を介して、それぞれ上下方向に対向配置する。又、前記両面印刷手段は、前記表面の集約用画像データと前記裏面の集約用画像データとを、前記用紙の表面と裏面とにそれぞれ印刷する。
【００１５】
これにより、用紙の表面には６の画像データを、当該用紙の裏面には４の画像データを印刷することが可能となるため、集約する画像データの最大数を、従来の最大数（８）と比較して２増加させることが可能となる。又、所定数の画像データが両面印刷された用紙を所定の線に従って切り込み、折り畳めば、各画像データが全て同じ向きとなる小冊子を簡単に作成することが可能となる。
【００１６】
又、本発明は、前記画像形成装置により両面印刷された用紙である。当該用紙でも、上述と同様の効果を得ることが出来る。
【００１７】
又、本発明は、所定数の画像データを集約した集約用画像データを一の用紙に印刷する画像形成方法として提供することが出来る。即ち、当該画像形成方法は、上下２段、左右４列に区分され、用紙の表面に印刷される表面の集約用画像データと当該用紙の裏面に印刷される裏面の集約用画像データとを左右に配置するステップを有する。次に、前記画像形成方法は、前記表面の集約用画像データの下段で左から第４列目の区分領域から、前記裏面の集約用画像データの下段で第１列目の区分領域、前記裏面の集約用画像データの上段で第１列目の区分領域、前記表面の集約用画像データの上段で第１列目の区分領域を通り、前記表面の集約用画像データの下段で第３列目の区分領域までの区分領域に、所定数の画像データを、前記表面の集約用画像データの下段で第４列目の区分領域を起点として反時計回り、又は前記表面の集約用画像データの下段で第３列目の区分領域を起点として時計回りの順番でそれぞれ割り付ける画像割付ステップを有する。そして、前記画像形成方法は、割り付けた所定数の画像データを、前記表面の集約用画像データの上下２段と前記裏面の集約用画像データの上下２段とをそれぞれ区分する２つの区分線を介して、それぞれ上下方向に対向配置する対向配置ステップを有する。又、前記画像形成方法は、前記表面の集約用画像データと前記裏面の集約用画像データとを、前記用紙の表面と裏面とにそれぞれ印刷する両面印刷ステップを有する。当該構成としても、上述と同様の効果を得ることが可能となる。
【００１８】
又、前記画像形成方法は、上下４段、左右２列に区分され、用紙の裏面に印刷される裏面の集約用画像データと当該用紙の表面に印刷される表面の集約用画像データとを左右に配置するステップを有する。次に、前記画像形成方法は、前記表面の集約用画像データの左列で上から第４段目の区分領域から、前記裏面の集約用画像データの右列で第４段目の区分領域、前記裏面の集約用画像データの右列で第１段目の区分領域、前記表面の集約用画像データの右列で第１段目の区分領域を通り、前記表面の集約用画像データの右列で第４段目の区分領域までの区分領域に、所定数の画像データを、前記表面の集約用画像データの左列で第４段目の区分領域を起点として時計回り、又は前記表面の集約用画像データの右列で第４段目の区分領域を起点として反時計回りの順番でそれぞれ割り付ける画像割付ステップを有する。更に、前記画像形成方法は、割り付けた所定数の画像データを、前記表面の集約用画像データの第１段目と第２段目、第３段目と第４段目、前記裏面の集約用画像データの第１段目と第２段目、第３段目と第４段目をそれぞれ区分する４つの区分線を介して、それぞれ上下方向に対向配置する対向配置ステップを有する。そして、前記画像形成方法は、前記表面の集約用画像データと前記裏面の集約用画像データとを、前記用紙の表面と裏面とにそれぞれ印刷する両面印刷ステップを有する。当該構成としても、上述と同様の効果を得ることが可能となる。
【００１９】
又、本発明は、前記画像形成方法により両面印刷された用紙である。当該用紙でも、上述と同様の効果を得ることが出来る。
【００２０】
又、本発明は、電気通信回線などを介して個別に流通する、コンピュータに実行させるためのプログラムとして提供することが出来る。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することも出来る。又、当該プログラムは、ＣＤ−ＲＯＭなどのコンピュータ読み取り可能な記録媒体に記録された状態で流通させることも可能である。
【発明の効果】
【００２１】
本発明の画像形成装置及び画像形成方法によれば、用紙の裏面にも画像データを集約印刷することで、頁数の多い小冊子用の印刷物を出力することが可能となる。
【図面の簡単な説明】
【００２２】
【図１】本発明に係る複合機の内部の全体構成を示す概念図である。
【図２】本発明に係る操作部の全体構成を示す概念図である。
【図３】本発明に係る複合機の制御系ハードウェアの構成を示す図である。
【図４】本発明の複合機の機能ブロック図である。
【図５】本発明の実行手順を示すためのフローチャートである。
【図６】本発明の実施形態においてタッチパネル上に表示された初期画面の一例を示す図（図７（Ａ））と、本発明の実施形態においてタッチパネル上に表示された折畳集約画面の一例を示す図（図７（Ｂ））である。
【図７】本発明の実施形態において縦向きの画像データが左綴じで１０集約される場合の折畳集約印刷のパターン例である。
【図８】本発明の実施形態において縦向きの画像データが１０集約される場合の小冊子作成を説明する第一の図である。
【図９】本発明の実施形態において縦向きの画像データが１０集約される場合の小冊子作成を説明する第二の図である。
【図１０】本発明の実施形態において縦向きの画像データが右綴じで１０集約される場合の折畳集約印刷のパターン例である。
【図１１】本発明の実施形態において横向きの画像データが右綴じで１０集約される場合の折畳集約印刷のパターン例である。
【図１２】本発明の実施形態において横向きの画像データが１０集約される場合の小冊子作成を説明する第一の図である。
【図１３】本発明の実施形態において横向きの画像データが１０集約される場合の小冊子作成を説明する第二の図である。
【図１４】本発明の実施形態において横向きの画像データが左綴じで１０集約される場合の折畳集約印刷のパターン例である。
【図１５】本発明の実施形態において縦向きの画像データが左綴じで１４集約される場合の折畳集約印刷のパターン例である。
【図１６】本発明の実施形態において縦向きの画像データが１４集約される場合の小冊子作成を説明する図である。
【図１７】縦向きの画像データが左綴じで４集約される場合の折畳集約印刷のパターン例（図１７（Ａ１））と、横向きの画像データが左綴じで４集約される場合の折畳集約印刷のパターン例（図１７（Ａ２））と、縦向きの画像データが左綴じで８集約される場合の折畳集約印刷のパターン例（図１７（Ｂ１））と、横向きの画像データが左綴じで８集約される場合の折畳集約印刷のパターン例（図１７（Ｂ１））である。
【発明を実施するための形態】
【００２３】
以下に、添付図面を参照して、本発明の画像形成装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベット「Ｓ」はステップを意味する。
【００２４】
＜画像形成装置＞
以下に、本発明に係る画像形成装置（例えば、複合機）について説明する。
【００２５】
図１は、本発明に係る複合機１００の内部の全体構成を示す概念図である。但し、本発明に直接には関係しない各部の詳細は省略している。
【００２６】
本発明の複合機１００は、例えばプリンタやスキャナ単体、あるいはプリンタ、コピー、スキャナ、ファックス等を備えた複合機等が該当する。尚、一例として複合機１００を利用して原稿Ｐの画像に対して両面印刷処理を行う際の複合機１００の動作を簡単に説明する。
【００２７】
まず、ユーザが複合機１００を使用してコピーを行う場合、原稿Ｐを当該複合機１００の上面に備えられている原稿台１０１に載置し、コピー機能の設定（両面印刷、給紙トレイ等）を操作部１０２から入力する。さらに、ユーザは操作部１０２に設けられたスタートキーを押下して、複合機１００に両面印刷処理を開始させる。
【００２８】
両面印刷処理が開始されると、複合機１００は、原稿Ｐの表面に描かれた画像の読み取りを開始する。まず、画像読取部１０３において、光源１０４から照射された光が、前記原稿台１０１に置かれた原稿Ｐの表面に反射される。反射された光は、ミラー１０５、１０６、１０７によって撮像素子１０８に導かれる。導かれた光は前記撮像素子１０８により光電変換されて、前記原稿Ｐの表面の画像が両面印刷される際の表面の画像データとして読み取られる。
【００２９】
更に、続けて、ユーザが前記原稿Ｐを裏返してスタートキーを押下すると、当該原稿Ｐの裏面の画像が、前記と同様に、両面印刷される際の裏面の画像データとして読み取られる。読み取られた表面の画像データと裏面の画像データは、画像形成部１０９に送られ、トナー像として転写されることとなる。
【００３０】
尚、前記画像読取部１０３の上方に設けられた自動原稿給紙装置１０３ａにより、当該画像読取部１０３が原稿Ｐの両面の画像を読み取るよう構成しても構わない。当該自動原稿給紙装置１０３ａに、例えば、プラテンカバーの内部に形成された原稿搬送路と、プラテンカバーの内部に備えられたピックアップローラや搬送ローラ等を設け、当該原稿搬送路を、原稿台１０１から画像読取部１０３で読み取りが行なわれる読取位置Ｘを経由して、排紙台に通じるよう構成する。そして、例えば、読取位置Ｘを介して画像読取部１０３に対向する位置に、原稿Ｐの画像を読み取る所定の読取部材を設けて、原稿Ｐの両面の画像を並行して読み取るよう構成しても構わない。
【００３１】
さて、画像形成部１０９には、感光体ドラム１１０が備えられており、当該感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが積載されている。
【００３２】
前記帯電器１１１は、前記感光体ドラム１１０の表面を一様に帯電させる。前記露光ユニット１１２は、帯電された前記感光体ドラム１１０の表面に、最初に表面の画像データに基づいてレーザーを照射し、静電潜像を形成する。前記現像器１１３は、搬送された静電潜像に、トナーを付着させてトナー像を形成する。形成されたトナー像は、前記転写器１１４により、記録媒体（例えば、用紙等のシート）に転写される。前記クリーニングユニット１１５は、前記感光体ドラム１１０の表面に残された余分なトナーを取り除く。これらの一連のプロセスは、前記感光体ドラム１１０が回転することにより実行される。
【００３３】
前記用紙は、前記複合機１００に備えられた複数の給紙カセット１１６、例えば、上段カセット１１６ａ、中段カセット１１６ｂ、下段左カセット１１６ｃ、下段右カセット１１６ｄから給紙され、複数の給紙カセット１１６にはそれぞれ異なる紙種のシートが収容されている。シートが搬送される時は、当該シートはピックアップローラ１１７により何れか１つの前記給紙カセット１１６ａ〜１１６ｄから搬送路へ引き出される。シートが引き出される給紙カセット１１６ａ〜１１６ｄは、ユーザが操作部１０２に入力した設定に基づいて決定される。
【００３４】
前記搬送路に引き出されたシートは、搬送ローラ１１８やレジストローラ１１９により、感光体ドラム１１０と転写器１１４の間に送り込まれ、当該転写器１１４により表面の画像データに基づいたトナー像を転写され、定着装置１２１に搬送される。
【００３５】
前記トナー像を転写されたシートが、定着装置１２１に備えられた加熱ローラ１２２と加圧ローラ１２３の間を通過すると、トナー像に熱と圧力が印加されて、そのトナー像がシートに定着され、原稿Ｐの表面画像がシートに画像形成される。前記加熱ローラ１２２の熱量は紙種に応じて最適に設定され、前記定着が適切に行われる。
【００３６】
表面画像が画像形成されたシートは、定着装置１２１から最も近接した分岐点Ａまで搬送される。当該分岐点Ａには、画像形成後のシートを排紙トレイ１２４へ搬送するための搬送路Ｂと、両面印刷するための両面印刷搬送路Ｃとが接続されている。
【００３７】
次に、原稿Ｐの裏面の画像データに基づいて画像形成処理がなされるために、表面画像が画像形成されたシートは、両面印刷搬送路Ｃへ導かれて、裏返され、更に、感光体ドラム１１０と転写器１１４との間の転写点Ｄに搬送されることとなる。当該シートが転写点Ｄに搬送されるまでに、感光体ドラム１１０上には、裏面の画像データに基づいてトナー像が形成される。そのため、当該シートが転写点Ｄに搬送されると、当該シートの裏面に適切に裏面の画像データのトナー像が転写されることとなる。
【００３８】
前記シートの裏面に裏面の画像データのトナー像が転写されると、転写されたシートが再び定着装置１２１に搬送されて、定着が行なわれ、原稿Ｐの裏面画像がシートに画像形成される。
【００３９】
両面印刷されたシートは、定着装置１２１から分岐点Ａまで搬送され、当該分岐点Ａから排紙トレイ１２４に導く搬送路Ｂへ送り込まれ、当該排紙トレイ１２４に積載、収容される。
【００４０】
尚、前記排紙トレイ１２４は、複合機１００の側面に備えられているが、複合機１００の胴内には、胴内トレイ１２５も備えられており、ユーザが操作部１０２に入力設定することによって両面印刷されたシートを胴内トレイ１２５に積載させる場合もある。
【００４１】
又、複合機１００の側面には、載置された用紙を、感光体ドラム１１０と転写器１１４との間に搬送するように構成された構成された手差しトレイ１２６が備えられており、ユーザが手差しトレイ１２６の上に、例えば、複数枚に渡る用紙を載置させ、所定の条件（例えば、選択用紙「手差しトレイ」）を入力し、スタートキーを押下すると、当該手差しトレイ１２６の近傍の搬送ローラ１２６Ａが回転し、手差しトレイ１２６上の用紙が感光体ドラム１１０と転写器１１４との間に搬送される。このように、給紙トレイ内の用紙以外の用紙であっても、複合機１００は当該用紙に感光体ドラム１１０上のトナー像を転写させることが可能となる。
【００４２】
以上が、複合機１００での基本的な両面印刷処理である。尚、スタートキーが押下されてから原稿Ｐの両面（表裏面）の画像を読み取るまでの画像読取処理を実行する手段を画像読取手段４０２、原稿Ｐの表面の画像データと裏面の画像データとに基づいてトナー像を形成し、シートの表面と裏面とに、対応するトナー像を転写するまでの画像形成処理を実行する手段を画像形成手段と称する（後述する）。尚、画像形成手段は、前記搬送路Ｃにシートを搬送せずに、前記搬送路Ｂにシートを搬送することによって、片面印刷処理を実行しても構わない。
【００４３】
次に、図２を用いて、複合機１００の操作部１０２の構成を説明する。図２は、本発明に係る操作部１０２の全体構成を示す概念図である。
【００４４】
ユーザは、前記操作部１０２を用いて、上述のような両面印刷機能に関する設定条件、例えば、原稿のサイズ、シートのサイズ（用紙のサイズ）等を入力したり、入力された設定条件等を確認したりする。前記設定条件が入力される場合、前記操作部１０２に備えられたタッチパネル２０１、タッチペン２０２、操作キー２０３が用いられる。
【００４５】
前記タッチパネル２０１には、設定条件を入力する機能と当該設定条件を表示する機能が兼ね備えられている。即ち、タッチパネル２０１上に表示された設定画面内のキーが押下（選択）されることによって、キーに関連付けられた設定条件が複合機１００に入力される。押下されたキー等の背景色は、当該押下に連動して白色から灰色へ変更されるため、キー等の背景色によって、キー等が押下されている状態であるか否かが視認される。
【００４６】
タッチパネル２０１の近傍には、タッチペン２０２が備えられており、ユーザがそのタッチペン２０２の先をタッチパネル２０１に接触させると、タッチパネル下に設けられたセンサーが接触先を検知する。タッチペンの先は、ほぼ点に近いため、前記センサーは、例えば、接触先をドット単位（最小単位）で検知することとなる。従って、例えばタッチパネル２０１内の位置を指で指定する場合と比較すると、タッチペン２０２で位置指定する方がより細かい位置を正確に指定することが出来る。ユーザは、指先に代えてタッチペン２０２によりタッチパネル２０１上に表示されたキー等を選択することが可能である。
【００４７】
更に、タッチパネル２０１近傍には、所定数の操作ハードキー２０３が設けられ、例えば、テンキー２０４、スタートキー２０５、クリアキー２０６、ストップキー２０７、リセットキー２０８、電源キー２０９が備えられている。
【００４８】
次に、図３を用いて、複合機１００の制御系ハードウェアの構成を説明する。図３は、本発明に係る複合機１００の制御系ハードウェアの構成を示す図である。ただし、本発明に直接には関係しない各部の詳細は省略している。
【００４９】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５を内部バス３０６によって接続している。前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０５と図示しない操作部１０３からのデータや指示を授受し、前記図１に示した各駆動部の動作を制御する。また、前記駆動部以外の後述する各手段（図４に示す）についても、前記ＣＰＵ３０１がプログラムを実行することで当該各手段を実現する。前記ＲＯＭ３０２、ＨＤＤ３０４等には、以下に説明する各手段を実現するプログラムやデータが記憶されている。
【００５０】
＜本発明の実施形態＞
次に、図４、図５を参照しながら、本発明の実施形態に係る構成及び実行手順について説明する。図４は、本発明の複合機１００の機能ブロック図である。図５は、本発明の実行手順を示すためのフローチャートである。
【００５１】
まず、ユーザが複合機１００の電源を投入すると、複合機１００の表示受付手段４０１が起動し、タッチパネル２０１上に予め設定された初期画面（例えば、コピー機能画面）を表示する（図５：Ｓ１０１）。
【００５２】
前記初期画面６００には、図６（Ａ）に示すように、コピーの条件設定を行なうための通常の設定項目キー６０１の他に、折畳集約モードへ移行するための「折畳集約」キー６０２が表示される。
【００５３】
そこで、ユーザが、前記「折畳集約」キー６０１を押下（選択）すると、表示受付手段４０１が、当該「折畳集約」キー６０１の選択を受け付けて（図５：Ｓ１０２ＹＥＳ）、集約表示受付手段４０２に通知する。当該通知を受けた集約表示受付手段４０２は、折畳集約画面をタッチパネル２０１上に表示して（図５：Ｓ１０３）、ユーザから、折畳集約条件（画像データの数、画像データの向き、画像データの綴じ方等）を受け付ける。
【００５４】
前記折畳集約画面６０３には、図６（Ｂ）に示すように、折畳集約条件の選択をユーザに促すメッセージ６０４と、集約する画像データの数を選択するための数キー６０５（例えば、「４」キー６０５ａ、「８」キー６０５ｂ、「１０」キー６０５ｃ）と、集約する画像データの向きを選択するための向きキー６０６（例えば、「縦向き」キー６０６ａ、「横向き」キー６０６ｂ）と、集約した画像データの綴じ方を選択するための綴じ方キー６０７（例えば、後述する小冊子を左で綴じる「左綴じ」キー６０７ａ、小冊子を右で綴じる「右綴じ」キー６０７ｂ）、集約する画像データを選択するためのファイルキー６０８（例えば、ドキュメントボックスに記憶された所定数の画像データを選択することが可能な「ドキュメントボックス」キー６０８ａ）と、キャンセルキー６０９と、スタートキー６１０とが表示される。
【００５５】
ここで、ユーザが、前記「４」キー６０５ａ、又は前記「８」キー６０５ｂを選択する場合は、従来技術と同様であるため、割愛する。
【００５６】
＜縦向きの画像データを最大数１０集約する場合＞
さて、ユーザが、前記「１０」キー６０５ｃと、前記「縦向き」キー６０６ａと、前記「左綴じ」キー６０７ａとを選択すると、前記集約表示受付手段４０２が、選択された折畳集約条件（「１０」、「縦向き」、「左綴じ」）を受け付ける。更に、ユーザが、前記「ドキュメントボックス」キー６０８ａを選択して、自己のドキュメントボックス（後述する画像データ記憶手段）に記憶された画像データのうち、前記「１０」以下の所定数（例えば、１０）の画像データを選択すると、前記集約表示受付手段４０２は、ユーザにより選択された画像データを受け付ける（図５：Ｓ１０４ＹＥＳ）。これにより、特定の折畳集約条件（「１０」、「縦向き」、「左綴じ」、所定数の画像データ）が受け付けられる。
【００５７】
そして、ユーザが、スタートキー６１０を選択すると、前記集約表示受付手段４０２が、前記折畳集約条件と、当該スタートキー６１０の選択を受け付け（図５：Ｓ１０５ＹＥＳ）、その旨を画像割付手段４０３に通知する。当該通知を受けた画像割付手段４０３は、前記折畳集約条件に従って、一の用紙に印刷される集約用画像データへの画像データの割り付けを開始する（図５：Ｓ１０６）。
【００５８】
ここで、前記折畳集約条件として、集約する画像データの数が「１０」であり、集約する画像データの向きが「縦向き」であり、綴じ方が「左綴じ」である場合、前記画像割付手段４０３は、図７に示すように、上下２段、左右４列に区分され、横向きの用紙の表面に印刷される表面の集約用画像データ７０１と当該用紙の裏面に印刷される裏面の集約用画像データ７０２とを左右に配置する。ここで、集約用画像データとは、ユーザにより選択された所定数の画像データが集約された一の画像データであり、後述するように、所定数の画像データが割り付けられる。尚、左右配置された前記表面の集約用画像データ７０１と前記裏面の集約用画像データ７０２とは、両者の上下位置が一致するように、左右配置される。
【００５９】
次に、前記画像割付手段４０３は、ユーザにより選択された所定数の画像データを、選択された順番で、画像データ記憶手段４０４から順次読み出し、読み出した画像データを縦向きとする。そして、前記画像割付手段４０３は、前記表面の集約用画像データ７０１の下段で左から第４列目の区分領域７０１ａから、前記裏面の集約用画像データ７０２の下段で第１列目の区分領域７０２ａ、前記裏面の集約用画像データ７０２の上段で第１列目の区分領域７０２ｂ、前記表面の集約用画像データ７０１の上段で第１列目の区分領域７０１ｂ（更に、前記表面の集約用画像データ７０１の下段で第１列目の区分領域７０１ｇ）を通り（介して）、前記表面の集約用画像データ７０１の下段で第３列目の区分領域７０１ｃまでの区分領域に、所定数の縦向きの画像データを、前記表面の集約用画像データ７０１の下段で第４列目の区分領域７０１ａを起点（出発点）として反時計回りの順番でそれぞれ割り付ける。
【００６０】
より詳細には、前記画像割付手段４０３は、先ず、前記表面の集約用画像データ７０１又は前記裏面の集約用画像データ７０２の天位置（上位置）に、画像データの天位置（上位置）を揃えた後、図７に示すように、前記表面の集約用画像データ７０１の下段で第４列目の区分領域７０１ａに、選択された第一の（最初の）画像データを、前記裏面の集約用画像データ７０２の下段で第１列目の区分領域７０２ａに、選択された第二の画像データをそれぞれ割り付ける。更に、前記画像割付手段４０３は、前記裏面の集約用画像データ７０２の上段で第１列目の区分領域７０２ｂに、第三の画像データを、前記表面の集約用画像データ７０１の上段で第４列目の区分領域７０１ｄに、第四の画像データを、前記表面の集約用画像データ７０１の上段で第３列目の区分領域７０１ｅに、第五の画像データを、前記表面の集約用画像データ７０１の上段で第２列目の区分領域７０１ｆに、第六の画像データをそれぞれ割り付ける。そして、前記画像割付手段４０３は、前記表面の集約用画像データ７０１の上段で第１列目の区分領域７０１ｂに、第七の画像データを、前記表面の集約用画像データ７０１の下段で第１列目の区分領域７０１ｇに、第八の画像データを、前記表面の集約用画像データ７０１の下段で第２列目の区分領域７０１ｈに、第九の画像データを、前記表面の集約用画像データ７０１の下段で第３列目の区分領域７０１ｃに、第十の画像データをそれぞれ割り付ける。
【００６１】
これにより、用紙の裏面に、従来では割り付け（配置）されなかった２の縦向きの画像データが割り付けられることになり、集約する縦向きの画像データの最大数を１０とすることが可能となる。
【００６２】
尚、前記画像割付手段４０３が、前記表面の集約用画像データ７０１又は前記裏面の集約用画像データ７０２に所定の画像データを割り付ける場合は、割り付ける縦向きの画像データが前記集約用画像データの区分領域に対応するように、当該画像データの縦横比を変更せずに、当該画像データのサイズを適宜変更する。本発明の実施形態では、例えば、画像データのサイズを原サイズから８分の１とする。又、ユーザにより選択された画像データの数が、１０未満である場合は、前記画像割付手段４０３は、画像データが割り付けられない区分領域に白紙画像データを割り付け（又は、画像データを割り付けないで）、当該区分領域を白紙とする。
【００６３】
さて、前記画像割付手段４０３が、所定数の画像データを、前記表面の集約用画像データ７０１と前記裏面の集約用画像データ７０２に割り付けると、その旨を対向配置手段４０５（反転手段）に通知する。当該通知を受けた対向配置手段４０５は、割り付けた所定数の縦向きの画像データを、前記表面の集約用画像データ７０１の上下２段と前記裏面の集約用画像データ７０２の上下２段とをそれぞれ区分する２つの区分線７０３、７０４を介して、それぞれ上下方向に対向配置する（図５：Ｓ１０７）。
【００６４】
より詳細には、前記対向配置手段４０５が、画像データの天位置（上位置）を、前記表面の集約用画像データ７０１又は前記裏面の集約用画像データ７０２の天位置（上位置）に揃えて割り付けた場合、第一、第二、第八から第十までの画像データの天位置（上位置）が、２つの区分線７０３、７０４に対面し、第三から第七までの画像データの地位置（下位置）が、前記２つの区分線７０３、７０４に対面する。つまり、前記２つの区分線７０３、７０４を介して、第一、第二、第八から第十までの画像データの天位置が、第三から第七までの画像データの地位置に対向配置される。そのため、前記対向配置手段４０５が、図７に示すように、２つの区分線７０３、７０４により区分された第三から第七までの画像データ（区分領域７０２ｂ、７０１ｄ、７０１ｅ、７０１ｆ、７０１ｂに割り付けられた画像データ）を上下方向にそれぞれ反転させる。つまり、前記対向配置手段４０５が、第三から第七までの画像データの天位置を、第一、第二、第八から第十までの画像データの天位置に突き合わせる。すると、第三から第七までの画像データの天位置が、前記２つの区分線７０３、７０４を介して、第一、第二、第八から第十までの画像データの天位置に対向配置される。
【００６５】
これにより、第三から第七までの画像データが、２つの区分線７０３、７０４を介して、第一、第二、第八から第十までの画像データに対し上下方向に対向配置される。そして、このように配置された所定数の画像データを用紙に両面印刷し、当該用紙を所定数の区分線に従って切り込み、折り畳めば、各画像データが全て同じ向きとなる小冊子を簡単に作成することが可能となる（後述する）。
【００６６】
次に、前記対向配置手段４０５が、所定数の画像データの対向配置を完了すると、その旨を線描写手段４０６に通知する。当該通知を受けた線描写手段４０６は、横向きの前記表面の集約用画像データ７０１と前記裏面の集約用画像データ７０２とに予め設定されている所定の線データを、所定のメモリ（例えば、図示しない線データ記憶手段）から読み出し、ユーザに用紙の切り込みと折り畳みとを促す線（例えば、切り込み線、山折線、谷折線）を、前記表面の集約用画像データ７０１と前記裏面の集約用画像データ７０２とに描写（配置）する（図５：Ｓ１０８）。
【００６７】
より詳細には、前記線描写手段４０６が、図７に示すように、前記表面の集約用画像データ７０１の第１列目の上下２段を区分する区分線７０５を山折線（一点鎖線）とし、第２列目から第４列目までの上下２段を区分する区分線７０６を切り込み線（実線）として当該表面の集約用画像データ７０１に描写する。又、前記線描写手段４０６が、前記表面の集約用画像データ７０１の第１列目と第２列目とを区分する区分線７０７を谷折線（破線）とし、第２列目と第３列目とを区分する区分線７０８を山折線とし、上段の第３列目と第４列目とを区分する区分線７０９を谷折線とし、下段の第３列目と第４列目とを区分する区分線７１０を山折線として当該表面の画像データ７０１に描写する。そして、前記線描写手段４０６は、前記表面の集約用画像データ７０１に描写された線のうち、切り込み線に対応する裏面の集約用画像データ７０２の区分線７１１には切り込み線を、山折線に対応する裏面の集約用画像データ７０２の区分線７１２には谷折線を、谷折線に対応する裏面の集約用画像データ７０２の区分線７１３には山折線を描写する。
【００６８】
そして、前記線描写手段４０６が、上述した線の描写を完了すると、その旨を両面印刷手段４０７に通知する。当該通知を受けた両面印刷手段４０７は、前記表面の集約用画像データ７０１と前記裏面の集約用画像データ７０２とを、用紙の表面と裏面とにそれぞれ印刷する（図５：Ｓ１０９）。両面印刷された用紙は、図７に示すように、１０の縦向きの画像データが集約され、両面印刷された用紙となる。
【００６９】
ここで、両面印刷された用紙のうち、ユーザが、描写された線（切り込み線、山折線、谷折線）に従って、切り込みを入れたり、山折り又は谷折りしたりすると、当該用紙が、図８に示した形態を経て、図９に示すように、１０の縦向きの画像データが集約された１０頁の左綴じの小冊子が出来上がる。これにより、１０頁の縦向きの画像データを集約した小冊子を簡単に作成することが可能となる。
【００７０】
このように、本発明に係る画像割付手段４０３は、上下２段、左右４列に区分され、横向きの用紙の表面に印刷される表面の集約用画像データ７０１と当該用紙の裏面に印刷される裏面の集約用画像データ７０２とを左右に配置する。次に、前記画像割付手段４０３は、前記表面の集約用画像データ７０１の下段で左から第４列目の区分領域７０１ａから、前記裏面の集約用画像データ７０２の下段で第１列目の区分領域７０２ａ、前記裏面の集約用画像データ７０２の上段で第１列目の区分領域７０２ｂ、前記表面の集約用画像データ７０１の上段で第１列目の区分領域７０２ｂを通り、前記表面の集約用画像データ７０１の下段で第３列目の区分領域７０１ｃまでの区分領域に、所定数の縦向きの画像データを、前記表面の集約用画像データ７０１の下段で第４列目の区分領域７０１ａを起点として反時計回りの順番でそれぞれ割り付ける。そして、前記対向配置手段４０５は、割り付けた所定数の縦向きの画像データを、前記表面の集約用画像データ７０１の上下２段と前記裏面の集約用画像データ７０２の上下２段とをそれぞれ区分する２つの区分線７０３、７０４を介して、それぞれ上下方向に対向配置する。更に、前記両面印刷手段４０７は、前記表面の集約用画像データ７０１と前記裏面の集約用画像データ７０２とを、前記用紙の表面と裏面とにそれぞれ印刷する。
【００７１】
これにより、用紙の表面には８の縦向きの画像データを、当該用紙の裏面には２の縦向きの画像データを印刷することが可能となるため、集約する縦向きの画像データの最大数を、従来の最大数（８）と比較して２増加させることが可能となる。又、所定数の縦向きの画像データが両面印刷された用紙を所定の線に従って切り込んで、折り畳めば、各画像データが全て同じ向きとなる小冊子を簡単に作成することが可能となる。
【００７２】
尚、図７−図９に示す小冊子は、左綴じであったが、前記画像割付手段４０３が、上述した区分領域に、所定数の縦向きの画像データを、前記表面の集約用画像データ７０１の下段で第３列目の区分領域７０１ｃを起点として時計回りの順番でそれぞれ割り付けることで、作成させる小冊子を右綴じにすることも可能である。
【００７３】
即ち、前記集約表示受付手段４０２が、折畳集約条件のうち、「右綴じ」キー６０７ｂの選択を受け付けた場合、前記画像割付手段４０３が、図１０に示すように、前記表面の集約用画像データ１００１の下段で左から第３列目の区分領域１００１ａから、前記表面の集約用画像データ１００１の上段で第１列目の区分領域１００１ｂ、前記裏面の集約用画像データ１００２の上段で第１列目の区分領域１００２ａ、前記裏面の集約用画像データ１００２の下段で第１列目の区分領域１００２ｂを通り、前記表面の集約用画像データ１００１の下段で第４列目の区分領域１００１ｃまでの区分領域に、所定数の縦向きの画像データを、前記表面の集約用画像データ１００１の下段で第３列目の区分領域１００１ａを起点として時計回りの順番でそれぞれ割り付ける。又、前記画像割付手段４０３が、所定の画像データを、前記表面の集約用画像データ１００１又は前記裏面の集約用画像データ１００２に割り付ける場合、上述と同様に、前記表面の集約用画像データ１００１又は前記裏面の集約用画像データ１００２の天位置（上位置）に、画像データの天位置（上位置）を揃えて割り付ける。又、時計回りの順番の場合、前記画像割付手段４０３は、前記表面の集約用画像データ１００１の下段で第３列目の区分領域１００１ａに、第一の画像データを、前記表面の集約用画像データ１００１の下段で第４列目の区分領域１００１ｃに、第十の画像データを割り付けることになる。後の処理は同様である。図１０に示すような用紙を、描写された線に従って、切り込みを入れたり、山折り又は谷折りしたりすると、右綴じの小冊子を簡単に作成することが出来る。
【００７４】
又、上述では、前記画像割付手段４０３が、上述した区分領域に、所定数の縦向きの画像データを、前記表面の集約用画像データ１００１の下段で第３列目の区分領域１００１ａを起点として時計回りの順番でそれぞれ割り付けることで、作成させる小冊子を右綴じにしたが、他の方法でも構わない。
【００７５】
例えば、図７のように、前記画像割付手段４０３が、上述した区分領域に、所定数の縦向きの画像データを、前記表面の集約用画像データ７０１の下段で第４列目の区分領域７０１ａを起点として反時計回りの順番でそれぞれ割り付ける際に、前記画像割付手段４０３が、割り付ける画像データの天位置（上位置）を反転させることにより、当該画像データの天位置（上位置）を、前記表面の集約用画像データ７０１又は前記裏面の集約用画像データ７０２の地位置（下位置）に揃えて割り付けても、作成させる小冊子を右綴じにすることが可能である。
【００７６】
又、上述した画像割付手段４０３は、横向きの用紙を、上下２段、左右４列に区分し、区分した区分領域に縦向きの画像データを割り付けるよう構成した。当該構成とすると、画像データの原サイズの縦横比を（殆ど）変更することなく、当該原サイズの８分の１に縮小するだけで、縮小された所定数の画像データを用紙に集約することが可能となる。ここで、当該画像データの原サイズの縦横比を多少変更したり、当該原サイズを８分の１未満に縮小したりしても良い場合は、前記画像割付手段４０３が、縦向きの用紙を、上下２段、左右４列に区分し、区分した区分領域に横向きの画像データを割り付けるよう構成しても構わない。このような両面印刷する用紙の向き、集約する画像データの向きは、当該画像データの種類、数などに応じて、適宜設計変更される。上述した前記折畳集約画面６０３の向きキー６０６の設計なども同様である。当該構成としても、上述した効果、即ち、集約する画像データの最大数を増加させる効果を得ることは可能である。
【００７７】
＜横向きの画像データを最大数１０集約する場合＞
ところで、上述した折畳集約条件の入力ステップ（図５：Ｓ１０４）において、ユーザが、前記「１０」キー６０５ｃと前記「横向き」キー６０６ｂと「右綴じ」キー６０７ｂを選択するとともに、前記「ドキュメントボックス」キー６０８ａを選択して、前記「１０」以下の所定数（例えば、１０）の画像データを選択すると、前記集約表示受付手段４０２は、特定の折畳集約条件（「１０」、「横向き」、「右綴じ」、所定数の画像データ）を受け付ける（図５：Ｓ１０４ＹＥＳ）。更に、ユーザが、スタートキー６１０を選択すると、集約表示受付手段４０２が、前記折畳集約条件と、当該スタートキー６１０の選択を受け付け（図５：Ｓ１０５ＹＥＳ）、前記画像割付手段４０３は、当該折畳集約条件に対応して、集約用画像データへの所定数の画像データの割り付けを開始する（図５：Ｓ１０６）。
【００７８】
ここで、前記折畳集約条件として、集約する画像データの数が「１０」であり、集約する画像データの向きが「横向き」であり、綴じ方が「右綴じ」である場合、前記画像割付手段４０３は、図１１に示すように、上下４段、左右２列に区分され、縦向きの用紙の裏面に印刷される裏面の集約用画像データ１１０２と当該用紙の表面に印刷される表面の集約用画像データ１１０１とを左右に配置する。ここで、左右配置された前記表面の集約用画像データ１１０１と前記裏面の集約用画像データ１１０２とは、両者の上下位置が一致するように、左右配置される。
【００７９】
次に、前記画像割付手段４０３は、ユーザにより選択された画像データを、選択された順番で、画像データ記憶手段４０４から順次読み出し、読み出した画像データを横向きとする。そして、前記画像割付手段４０３は、前記表面の集約用画像データ１１０１の左列で上から第４段目の区分領域１１０１ａから、前記裏面の集約用画像データ１１０２の右列で第４段目の区分領域１１０２ａ、前記裏面の集約用画像データ１１０２の右列で第１段目の区分領域１１０２ｂ、前記表面の集約用画像データ１１０１の左列で第１段目の区分領域１１０１ｂを通り、前記表面の集約用画像データ１１０１の左列で第４段目の区分領域１１０１ｃまでの区分領域に、所定数の横向きの画像データを、前記表面の集約用画像データ１１０１の左列で第４段目の区分領域１１０１ａを起点として時計回りの順番でそれぞれ割り付ける。
【００８０】
より詳細には、前記画像割付手段４０３は、先ず、前記表面の集約用画像データ１１０１又は前記裏面の集約用画像データ１１０２の天位置（上位置）に、画像データの天位置（上位置）を揃えた後、図１１に示すように、前記表面の集約用画像データ１１０１の左列で第４段目の区分領域１１０１ａに、選択された第一の画像データを、前記裏面の集約用画像データ１１０２の右列で第４段目の区分領域１１０２ａに、選択された第二の画像データをそれぞれ割り付ける。次に、前記画像割付手段４０３は、前記裏面の集約用画像データ１１０２の右列で第３段目の区分領域１１０２ｃに、第三の画像データを、前記裏面の集約用画像データ１１０２の右列で第２段目の区分領域１１０２ｄに、第四の画像データを、前記裏面の集約用画像データ１１０２の右列で第１段目の区分領域１１０２ｂに、第五の画像データを、前記表面の集約用画像データ１１０１の左列で第１段目の区分領域１１０１ｄに、第六の画像データをそれぞれ割り付ける。そして、前記画像割付手段４０３は、前記表面の集約用画像データ１１０１の右列で第１段目の区分領域１１０１ｂに、第七の画像データを、前記表面の集約用画像データ１１０１の右列で第２段目の区分領域１１０１ｅに、第八の画像データを、前記表面の集約用画像データ１１０１の右列で第３段目の区分領域１１０１ｆに、第九の画像データを、前記表面の集約用画像データ１１０１の右列で第４段目の区分領域１１０１ｃに、第十の画像データをそれぞれ割り付ける。
【００８１】
これにより、用紙の裏面に、従来では割り付け（配置）されなかった２の横向きの画像データが割り付けられることになり、集約する横向きの画像データの最大数を１０とすることが可能となる。
【００８２】
尚、ユーザにより選択された画像データの数が、１０未満である場合は、上記と同様に、画像データが割り付けられない区分領域に白紙画像データを割り付け（又は、画像データを割り付けずに）、当該区分領域を白紙とする。又、画像データのサイズ変更についても、上述と同様である。
【００８３】
さて、前記画像割付手段４０３が、所定数の画像データを、前記表面の集約用画像データ１１０１と前記裏面の集約用画像データ１１０２に割り付けると、その旨を対向配置手段４０５に通知する。当該通知を受けた対向配置手段４０５は、割り付けた所定数の横向きの画像データを、前記表面の集約用画像データ１１０１の第１段目と第２段目、第３段目と第４段目、前記裏面の集約用画像データ１１０２の第１段目と第２段目、第３段目と第４段目とをそれぞれ区分する４つの区分線を介して、それぞれ上下方向に対向配置する（図５：Ｓ１０７）。
【００８４】
より詳細には、前記画像割付手段４０３が、画像データの天位置（上位置）を、前記表面の集約用画像データ１１０１又は前記裏面の集約用画像データ１１０２の天位置（上位置）に揃えて割り付けた場合、第四、第八の画像データの天位置（上位置）が、前記表面の集約用画像データ１１０１の第１段目と第２段目、前記裏面の集約用画像データ１１０２の第１段目と第２段目をそれぞれ区分する２つの区分線１１０３、１１０４（第一の区分線１１０３、第二の区分線１１０４とする）に対面し、第五から第七までの画像データの地位置（下位置）が、当該第一の区分線１１０３、当該第二の区分線１１０４に対面する。又、第一、第二、第十の画像データの天位置（上位置）が、前記表面の集約用画像データ１１０１の第３段目と第４段目、前記裏面の集約用画像データ１１０２の第３段目と第４段目をそれぞれ区分する２つの区分線１１０５、１１０６（第三の区分線１１０５、第四の区分線１１０６とする）に対面し、第三、第九の画像データの地位置（下位置）が、当該第三の区分線１１０５、当該第四の区分線１１０６に対面する。つまり、第一の区分線１１０３、第二の区分線１１０４を介して、第四、第八の画像データの天位置が、第五から第七までの画像データの地位置に対向配置され、第三の区分線１１０５、第四の区分線１１０６を介して、第一、第二、第十の画像データの天位置が、第三、第九の画像データの地位置に対向配置される。そのため、前記画像割付手段４０３が、図１１に示すように、第一の区分線１１０３、第二の区分線１１０４により区分された第五から第七までの画像データ（区分領域１１０２ｂ、１１０１ｄ、１１０１ｂに割り付けられた画像データ）を上下方向にそれぞれ反転させる（前記画像割付手段４０３が、第五から第七までの画像データの天位置を、第四、第八の画像データの天位置に突き合わせる）。又、前記画像割付手段４０３が、第三の区分線１１０５、第四の区分線１１０６により区分される第三、第九の画像データ（区分領域１１０２ｃ、１１０１ｆに割り付けられた画像データ）を上下方向にそれぞれ反転させる（前記画像割付手段４０３が、第三、第九の画像データの天位置を、第一、第二、第十の画像データの天位置に突き合わせる）。すると、第五から第七までの画像データの天位置が、第一の区分線１１０３、第二の区分線１１０４を介して、第四、第八の画像データの天位置に対向配置され、第三、第九の画像データの天位置が、第三の区分線１１０５、第四の区分線１１０６を介して、第一、第二、第十の画像データの天位置に対向配置される。
【００８５】
これにより、第五から第七までの画像データが、第一の区分線１１０３、第二の区分線１１０４を介して、第四、第八の画像データに対し上下方向に対向配置される。又、第三、第九の画像データが、第三の区分線１１０５、第四の区分線１１０６を介して、前記第四、第八の画像データに対し上下方向に対向配置される。そして、このように配置された所定数の画像データを用紙に両面印刷し、当該用紙を所定数の区分線に従って切り込み、折り畳めば、各画像データが全て同じ向きとなる小冊子を簡単に作成することが可能となる（後述）。
【００８６】
次に、前記対向配置手段４０５が、所定数の画像データの対向配置を完了すると、その旨を線描写手段４０６に通知する。当該通知を受けた線描写手段４０６は、縦向きの前記表面の集約用画像データ１１０１と前記裏面の集約用画像データ１１０２とに予め設定されている所定の線データを、所定のメモリから読み出し、上述した切り込み線、山折線、谷折線を前記表面の集約用画像データ１１０１と前記裏面の集約用画像データ１１０２とに描写する（図５：Ｓ１０８）。
【００８７】
より詳細には、前記線描写手段４０６が、図１１に示すように、前記表面の集約用画像データ１１０１の第１段目の左右２列を区分する区分線１１０７を谷折線（破線）とし、第２列目の左右２列を区分する区分線１１０８を山折線（一点鎖線）とし、第３段目の左右２列を区分する区分線１１０９を谷折線とし、第４列目の左右２列を区分する区分線１１１０を山折線として当該表面の集約用画像データ１１０１に描写する。次に、前記線描写手段４０６が、前記表面の集約用画像データ１１０１の左列の第１段目と第２段目とを区分する区分線１１１１を切り込み線（実線）とし、右列の第１段目と第２段目とを区分する区分線１１１２を山折線とし、前記表面の集約用画像データ１１０１の左列の第２段目と第３段目とを区分する区分線１１１３を谷折線とし、前記表面の集約用画像データ１１０１の右列の第２段目と第３段目とを区分する区分線１１１４を切り込み線として当該表面の集約用画像データ１１０１に描写する。更に、前記線描写手段４０６が、前記表面の集約用画像データ１１０１の左列の第３段目と第４段目とを区分する区分線１１１５を切り込み線とし、右列の第３段目と第４段目とを区分する区分線１１１６を山折線として当該表面の集約用画像データ１１０１に描写する。そして、前記線描写手段４０６は、前記表面の集約用画像データ１１０１に描写された線のうち、切り込み線に対応する裏面の集約用画像データ１１０２の区分線１１１７には切り込み線を、山折線に対応する裏面の集約用画像データ１１０２の区分線１１１８には谷折線を、谷折線に対応する裏面の集約用画像データ１１０２の区分線１１１９には山折線を描写する。
【００８８】
そして、前記線描写手段４０６が、線の描写を完了すると、その旨を両面印刷手段４０７に通知する。当該通知を受けた両面印刷手段４０７は、前記表面の集約用画像データ１１０１と前記裏面の集約用画像データ１１０２とを、用紙の表面と裏面とにそれぞれ印刷する（図５：Ｓ１０９）。両面印刷された用紙は、図１１に示すように、１０の横向きの画像データが集約され、両面印刷された用紙となる。
【００８９】
ここで、両面印刷された用紙のうち、ユーザが、描写された線（切り込み線、山折線、谷折線）に従って、切り込みを入れたり、山折り又は谷折りしたりすると、当該用紙が、図１２に示した形態を経て、図１３に示すように、１０の横向きの画像データが集約された１０頁の右綴じの小冊子が出来上がる。これにより、１０頁の横向きの画像データを集約した小冊子を簡単に作成することが可能となる。
【００９０】
このように、本発明に係る画像割付手段４０３は、上下４段、左右２列に区分され、縦向きの用紙の裏面に印刷される裏面の集約用画像データ１１０２と当該用紙の表面に印刷される表面の集約用画像データ１１０１とを左右に配置する。次に、前記画像割付手段４０３は、前記表面の集約用画像データ１１０１の左列で上から第４段目の区分領域１１０１ａから、前記裏面の集約用画像データ１１０２の右列で第４段目の区分領域１１０２ａ、前記裏面の集約用画像データ１１０２の右列で第１段目の区分領域１１０２ｂ、前記表面の集約用画像データ１１０１の右列で第１段目の区分領域１１０１ｂを通り、前記表面の集約用画像データ１１０１の右列で第４段目の区分領域１１０１ｃまでの区分領域に、所定数の横向きの画像データを、前記表面の集約用画像データ１１０１の左列で第４段目の区分領域１１０１ａを起点として時計回りの順番でそれぞれ割り付ける。そして、前記対向配置手段４０５は、割り付けた所定数の横向きの画像データを、前記表面の集約用画像データ１１０１の第１段目と第２段目、第３段目と第４段目、前記裏面の集約用画像データ１１０２の第１段目と第２段目、第３段目と第４段目をそれぞれ区分する４つの区分線１１０３−１１０６を介して、それぞれ上下方向に対向配置する。更に、前記両面印刷手段４０７は、前記表面の集約用画像データ１１０１と前記裏面の集約用画像データ１１０２とを、前記用紙の表面と裏面とにそれぞれ印刷する。
【００９１】
これにより、用紙の表面には６の横向きの画像データを、当該用紙の裏面には４の横向きの画像データを印刷することが可能となるため、集約する横向きの画像データの最大数を、従来の最大数（８）と比較して２増加させることが可能となる。又、所定数の横向きの画像データが両面印刷された用紙を所定の線に従って切り込み、折り畳めば、各画像データが全て同じ向きとなる小冊子を簡単に作成することが可能となる。
【００９２】
尚、図１１−図１３に示す小冊子は、右綴じであったが、前記画像割付手段４０３が、上述した区分領域に、所定数の横向きの画像データを、前記表面の集約用画像データ１１０１の左列で第４段目の区分領域１１０１ｃを起点として反時計回りの順番でそれぞれ割り付けることで、作成させる小冊子を左綴じにすることも可能である。
【００９３】
即ち、前記集約表示受付手段４０２が、折畳集約条件のうち、「左綴じ」キー６０７ａの選択を受け付けた場合、前記画像割付手段４０３が、図１４に示すように、前記表面の集約用画像データ１４０１の右列で上から第４段目の区分領域１４０１ａから、前記表面の集約用画像データ１４０１の右列で第１段目の区分領域１４０１ｂ、前記裏面の集約用画像データ１４０２の右列で第１段目の区分領域１４０２ａ、前記裏面の集約用画像データ１４０２の右列で第４段目の区分領域１４０２ｂを通り、前記表面の集約用画像データ１４０１の左列で第４段目の区分領域１４０１ｃまでの区分領域に、所定数の横向きの画像データを、前記表面の集約用画像データ１４０１の右列で第４段目の区分領域１４０１ａを起点として反時計回りの順番でそれぞれ割り付ける。又、前記画像割付手段４０３が、所定の画像データを、前記表面の集約用画像データ１４０１又は前記裏面の集約用画像データ１４０２に割り付ける場合、上述と同様に、前記表面の集約用画像データ１４０１又は前記裏面の集約用画像データ１４０２の天位置（上位置）に、画像データの天位置（上位置）を揃えて割り付ける。又、反時計回りの順番の場合、前記画像割付手段４０３は、前記表面の集約用画像データ１４０１の左列で第４段目の区分領域１４０１ａに、第一の画像データを、前記表面の集約用画像データ１４０１の左列で第４段目の区分領域１４０１ｃに、第十の画像データを割り付けることになる。後の処理は同様である。図１４に示すような用紙を、描写された線に従って、切り込みを入れたり、山折り又は谷折りしたりすると、左綴じの小冊子を簡単に作成することが出来る。
【００９４】
又、上述では、前記画像割付手段４０３が、上述した区分領域に、所定数の横向きの画像データを、前記表面の集約用画像データ１４０１の右列で第４段目の区分領域１４０１ａを起点として反時計回りの順番でそれぞれ割り付けることで、作成させる小冊子を左綴じにしたが、他の方法でも構わない。
【００９５】
例えば、図１１のように、前記画像割付手段４０３が、上述した区分領域に、所定数の縦向きの画像データを、前記表面の集約用画像データ１１０１の左列で第４段目の区分領域１１０１ａを起点として時計回りの順番でそれぞれ割り付ける際に、前記画像割付手段４０３が、割り付ける画像データの天位置（上位置）を反転させることにより、当該画像データの天位置（上位置）を、前記表面の集約用画像データ１１０１又は前記裏面の集約用画像データ１１０２の地位置（下位置）に揃えて割り付けても、作成させる小冊子を左綴じにすることが可能である。
【００９６】
又、上述した画像割付手段４０３は、縦向きの用紙を、上下４段、左右２列に区分し、区分した区分領域に横向きの画像データを割り付けるよう構成した。当該構成とすると、画像データの原サイズの縦横比を殆ど変更することなく、当該原サイズの８分の１に縮小するだけで、縮小された所定数の画像データを用紙に集約することが可能となる。ここで、当該画像データの原サイズの縦横比を多少変更したり、当該原サイズを８分の１未満に縮小したりしても良い場合は、前記画像割付手段４０３が、横向きの用紙を、上下４段、左右２列に区分し、区分した区分領域に縦向きの画像データを割り付けるよう構成しても構わない。このような両面印刷する用紙の向き、集約する画像データの向きは、当該画像データの種類、数などに応じて、適宜設計変更される。上述した前記折畳集約画面６０３の向きキー６０６の設計なども同様である。当該構成としても、上述した効果、即ち、集約する画像データの最大数を増加させる効果を得ることは可能である。
【００９７】
＜その他＞
ところで、ユーザが、前記折畳集約画面を見ながら、キャンセルキーを選択すると、集約表示受付手段４０２が、当該キャンセルキーの選択を受け付けて（図５：Ｓ１１０ＹＥＳ）、その旨を表示受付手段４０１に通知する。当該通知を受けた表示受付手段４０１は、上述した初期画面をタッチパネル２０１上に表示する。これにより、ユーザは、通常のコピーサービスを実行することが可能となる。
【００９８】
＜本発明の他の実施形態について＞
本発明の実施形態では、前記画像割付手段４０３が、縦向きの画像データを最大数１０集約する場合を説明したが、更に、縦向きの画像データの数を増加させても構わない。更に画像データの数を増加させる場合、その最大増加数は「４」となり、追加された画像データは、小冊子にした際に追加された形態（差し込まれた形態）で割り付けられる。以下、追加された画像データを、差込用画像データとする。
【００９９】
例えば、前記集約表示受付手段４０２が、ユーザから前記「１０」キー６０５ｃと前記「縦向き」キー６０６ａと「左綴じ」キー６０７ａとの選択を受け付け、前記「１０」以下の所定数の画像データの選択を受け付けると、ユーザに、差込用の画像データの数を選択するための数キー（例えば、「差込４」キー）と、差込用の画像データを選択するためのファイルキーとを表示する。ユーザが、前記「差込４」キーを選択し、前記ファイルキーの選択により、前記「４」以下の所定数の差込用の画像データを選択し、前記スタートキー６１０を選択すると、前記画像割付手段４０３が、１０の画像データの割り付けと、４の差込用の画像データの割り付けとを開始する。
【０１００】
この場合、前記画像割付手段４０３は、前記表面の集約用画像データ１５０１又は前記裏面の集約用画像データ１５０２の天位置（上位置）に、画像データの天位置（上位置）を揃えて、図１５に示すように、前記表面の集約用画像データ１５０１の下段で左から第４列目の区分領域１５０１ａから、前記裏面の集約用画像データ１５０２の下段で第１列目の区分領域１５０２ａ、前記裏面の集約用画像データ１５０２の上段で第１列目の区分領域１５０２ｂ、前記表面の集約用画像データ１５０１の上段で第１列目の区分領域１５０１ｂを通り、前記表面の集約用画像データ１５０１の下段で第３列目の区分領域１５０１ｃまでの区分領域に、所定数の縦向きの画像データ（第Ａ一の画像データ〜第Ａ十の画像データ）を、前記表面の集約用画像データ１５０１の下段で第４列目の区分領域１５０１ａを起点として反時計回りの順番でそれぞれ割り付ける。又、前記画像割付手段４０３は、前記表面の集約用画像データ１５０１の上下２段と前記裏面の集約用画像データ１５０２の上下２段とをそれぞれ区分する２つの区分線１５０３、１５０４により区分された第Ａ三の画像データから第Ａ七の画像データまでを上下方向にそれぞれ反転させる。ここまでは、上述した縦向きの画像データを最大数１０集約する場合の実施形態と同様である。
【０１０１】
更に、前記画像割付手段４０３は、前記裏面の集約用画像データ１５０２の下段で第２列目の区分領域１５０２ｃから、前記裏面の集約用画像データ１５０２の下段で第３列目の区分領域１５０２ｄ、前記裏面の集約用画像データ１５０２の上段で第２列目の区分領域１５０２ｅを通り、前記裏面の集約用画像データ１５０２の上段で第２列目の区分領域１５０２ｆまでの区分領域に、所定数の縦向きの画像データ（第Ｂ一の画像データ〜第Ｂ四の画像データ）を、前記裏面の集約用画像データ１５０２の下段で第２列目の区分領域１５０２ｃを起点として反時計回りの順番でそれぞれ割り付ける。そして、前記画像割付手段４０３は、割り付けた所定数の縦向きの画像データ（第Ｂ一の画像データ〜第Ｂ四の画像データ）を、前記裏面の集約用画像データ１５０２の上下２段を区分する区分線１５０４を介して、それぞれ上下方向に対向配置する。つまり、前記画像割付手段４０３は、第Ｂ三の画像データと、第Ｂ四の画像データを、上下方向にそれぞれ反転させ、第Ｂ三の画像データと、第Ｂ四の画像データの天位置を、前記区分線１５０４を介して、第Ｂ一の画像データと、第Ｂ二の画像データの天位置に対向配置させる。このように配置された画像データを有する前記裏面の集約用画像データ１５０２と前記表面の集約用画像データ１５０１は、上述した実施形態と同様に、前記用紙の裏面と表面とにそれぞれ印刷される。
【０１０２】
これにより、用紙の表面には８の縦向きの画像データを、当該用紙の裏面には６の縦向きの画像データを印刷することが可能となるため、集約する縦向きの画像データの最大数を、従来の最大数（８）と比較して６増加させることが可能となる。又、所定数の縦向きの画像データが両面印刷された用紙を所定の線に従って切り込み、折り畳めば、各画像データが全て同じ向きとなる小冊子を簡単に作成することが可能となる。
【０１０３】
例えば、前記両面印刷された用紙を、ユーザが、描写された線（切り込み線、山折線、谷折線）に従って、切り込みを入れたり、山折り又は谷折りしたりすると、当該用紙が、図１６に示すように、１４頁の右綴じの小冊子が出来上がる。追加された差込用の画像データは、第Ａ二の画像データ（二頁目の画像データ）と第Ａ三の画像データ（三頁目の画像データ）との間に差し込まれ、ユーザが、二頁目と三頁目とを左右に見開くことにより、差込用の第Ｂ一の画像データから差込用の第Ｂ四の画像データまでを見開き状態で視認することが可能となる。
【０１０４】
尚、上述では、左綴じについて説明したが、右綴じについては、前記画像割付手段４０３が、所定数の縦向きの画像データ（第Ａ一の画像データ〜第Ａ十の画像データ）を、前記表面の集約用画像データ１５０１の下段で第３列目の区分領域１５０１ｃを起点として時計回りの順番で、所定の区分領域１５０１ｃ、１５０１ｂ、１５０２ｂ、１５０２ａ、１５０１ａにそれぞれ割り当てる。更に、前記画像割付手段４０３が、差込用の画像データ（第Ｂ一の画像データ〜第Ｂ四の画像データ）を、前記裏面の集約用画像データの上段で第２列目の区分領域１５０２ｆを起点として時計回りの順番で、所定の差込用の区分領域１５０２ｆ、１５０２ｅ、１５０２ｄ、１５０２ｃにそれぞれ割り当てればよいため、その説明は省略する。
【０１０５】
又、上述した他の実施形態では、左綴じの場合、１０頁の所定の区分領域１５０１ａ、１５０２ａ、１５０２ｂ、１５０１ｂ、１５０１ｃの画像データを左綴じとし、４頁の差込用の区分領域１５０２ｃ、１５０２ｄ、１５０２ｅ、１５０２ｆの差込用画像データを左綴じとしたが、前記差込用画像データの種類、ユーザの選択などに応じて、当該差込用画像データを右綴じとしても構わない。又、右綴じの場合も同様に、前記差込用画像データの種類、ユーザの選択などに応じて、１０頁の所定の区分領域１５０１ｃ、１５０１ｂ、１５０２ｂ、１５０２ａ、１５０１ａの画像データを右綴じとし、４頁の差込用の区分領域１５０２ｆ、１５０２ｅ、１５０２ｄ、１５０２ｃの差込用画像データを右綴じとしても構わない。
【０１０６】
又、上述した他の実施形態では、上述した本発明の実施形態と同様に、前記画像割付手段４０３が、横向きの用紙を、上下２段、左右４列に区分し、区分した区分領域に縦向きの画像データを割り付け、差込用の区分領域に縦向きの画像データを割り付けるよう構成した。ここで、当該画像データの原サイズの縦横比を多少変更したり、当該原サイズを８分の１未満に縮小したりしても良い場合は、前記画像割付手段４０３が、縦向きの用紙を、上下２段、左右４列に区分し、区分した区分領域に横向きの画像データを割り付けるよう構成しても構わない。当該構成としても、上述した効果、即ち、集約する画像データの最大数を増加させる効果を得ることは可能である。
【０１０７】
又、本発明の実施形態の両面印刷手段４０７は、前記表面の集約用画像データと前記裏面の集約用画像データとを、前記用紙の表面と裏面とにそれぞれ印刷する構成を採用したが、更に、当該両面印刷手段４０７が、折り畳み方法の説明を記載した文書又は図解を示す印刷物を出力するよう構成しても構わない。
【０１０８】
又、本発明の実施形態の線描写手段４０６は、山折線を一点鎖線とし、谷折線を破線とし、切り込み線を実線として描写したが、例えば、＜山折線＞などのように文字を描写してもよいし、当該文字と線とを組み合わせても構わない。
【０１０９】
又、本発明の実施形態では、両面印刷される用紙に所定の線を描写する線描写手段４０６を設けたが、当該線が無くても、特に問題にならないことから、当該線描写手段４０６を省略しても構わない（図４に示す破線矢印に相当する）。
【０１１０】
又、本発明の実施形態の集約表示受付手段４０２は、ユーザに、ドキュメントボックスに記憶された画像データを折畳集約用の画像データとして選択させるよう構成したが、他の構成でも構わない。例えば、前記集約表示受付手段４０２が、ユーザから、「原稿読込」キーの選択を受けると、図示しない画像読取手段に、ユーザが原稿台１０１（又は自動原稿給紙装置１０３ａ）に載置した原稿の画像データを読み取らせて、当該画像データを折畳集約用の画像データとしても構わない。
【０１１１】
又、本発明の実施形態の集約表示受付手段４０２は、特定の折畳集約条件を受け付けた際に、集約される集約用画像データのプレビュー（例えば、図７、図１０、図１１、図１４、図１５等の折畳集約印刷のパターン例）を予めユーザに表示するよう構成してもよい。
【０１１２】
又、本発明の実施形態では、従来技術に対応する、ユーザが、前記「４」キー６０５ａ、又は前記「８」キー６０５ｂを選択する場合について、特に説明しなかったが、仮に、前記「４」キー６０５ａ、又は前記「８」キー６０５ｂが選択された場合は、以下のようになる。
【０１１３】
即ち、前記「４」キー６０５ａと前記「縦向き」キー６０６ａと前記「右綴じ」キー６０７ｂが選択された場合、図１７（Ａ１）に示すように、一の用紙を上下２段、左右２列に区分し、区分した４つの区分領域１７０１（横向きの集約用画像データ）に、右下の区分領域１７０１ａを第一の画像データとして、４つの縦向きの画像データ（第一の画像データ〜第四の画像データ）が、前記右下の区分領域１７０１ａを起点として時計回りの順番で割り付けられる。そして、左右２列を区分する区分線１７０２を介して、割り付けられた４つの画像データが、それぞれ左右方向に対向配置される。これにより、４つの縦向きの画像データが集約され、所定の線に従って折り曲げられることで、４頁の右綴じの小冊子が作成される。尚、前記「横向き」キー６０６ｂが選択された場合は、図１７（Ａ２）に示すように、上述のように割り付けられた４つの画像データ（第一の画像データ〜第四の画像データ）が、上下２段を区分する区分線１７０３を介して、それぞれ上下方向に対向配置される。又、前記「左綴じ」キー６０７ａが選択された場合は、例えば、上述した４つの画像データが反時計回りの順番で割り付けられる。
【０１１４】
又、前記「８」キー６０５ｂと前記「縦向き」キー６０６ａと前記「左綴じ」キー６０７ａが選択された場合、図１７（Ｂ１）に示すように、一の用紙を上下２段、左右４列に区分し、区分した８つの区分領域１７０４（横向きの集約用画像データ）に、下段で左から第４列目の区分領域１７０４ａを第一の画像データとして、８つの縦向きの画像データ（第一の画像データ〜第八の画像データ）が、反時計回りの順番で割り付けられる。そして、上下２段を区分する区分線１７０５を介して、割り付けられた８つの画像データが、それぞれ上下方向に対向配置される。これにより、８つの縦向きの画像データが集約され、所定の線に従って切り込まれ、折り曲げられることで、８頁の左綴じの小冊子が作成される。尚、前記「横向き」キー６０６ｂが選択された場合は、図１７（Ｂ２）に示すように、上述にように割り付けられた８つの画像データ（第一の画像データ〜第八の画像データ）が、第１列目と第２列目を区分する区分線１７０６と、第３列目と第４列目を区分する区分線１７０７とを介して、それぞれ左右方向に対向配置される。又、前記「右綴じ」キー６０７ｂが選択された場合は、例えば、上述した８つの画像データが時計回りの順番で割り付けられる。
【０１１５】
又、本発明の実施形態では、各手段を複合機１００に備えるよう構成したが、両面印刷可能な画像形成装置であればよく、各手段を、例えば、プリンタ、複写機などに備えるよう構成しても構わない。
【０１１６】
又、本発明の実施形態では、複合機１００が各手段を備えるよう構成したが、当該各手段を実現するプログラムを記憶媒体に記憶させ、当該記憶媒体を提供するよう構成しても構わない。当該構成では、前記プログラムを複合機１００に読み出させ、その複合機１００が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【０１１７】
以上のように、本発明に係る画像形成装置及び画像形成方法は、複合機はもちろん、複写機、プリンタ等に有用であり、用紙の裏面にも画像データを集約印刷することで、頁数の多い小冊子用の印刷物を出力することが可能な画像形成装置及び画像形成方法として有効である。
【符号の説明】
【０１１８】
１００  複合機
４０１  表示受付手段
４０２  集約表示受付手段
４０３  画像割付手段
４０４  画像データ記憶手段
４０５  対向配置手段
４０６  線描写手段
４０７  両面印刷手段
【図１】
0005474841.tif 000002
【図２】
0005474841.tif 000003
【図３】
0005474841.tif 000004
【図４】
0005474841.tif 000005
【図５】
0005474841.tif 000006
【図６】
0005474841.tif 000007
【図７】
0005474841.tif 000008
【図８】
0005474841.tif 000009
【図９】
0005474841.tif 000010
【図１０】
0005474841.tif 000011
【図１１】
0005474841.tif 000012
【図１２】
0005474841.tif 000013
【図１３】
0005474841.tif 000014
【図１４】
0005474841.tif 000015
【図１５】
0005474841.tif 000016
【図１６】
0005474841.tif 000017
【図１７】
0005474841.tif 000018